(57)【要約】【課題】  売上代金の回収を効率的に行うことができる売上代金回収方法及び売上代金回収プログラムを提供する。【解決手段】  管理コンピュータ２１の売上決済サーバ２２は、店舗端末１１に接続され、店舗１０の売上代金を預ける口座の口座識別子データを記録する口座データ記憶部２２ａを有している。管理コンピュータ２１は、売上回収処理のために店舗端末１１によるログインが行われると、販売データ記憶部２３ａの販売データに基づいて売上金額を計算して店舗端末１１に提示する。管理コンピュータ２１は、売上金額の確認に伴う口座の暗証番号データを店舗端末１１から受信すると、口座データ記憶部２２ａから口座データを取得し、受信した暗証番号データと口座識別子データとを金融専用ネットワークＮＣを介して発行銀行３０のホストコンピュータ３１に送信し、売上代金の引落依頼を行う。【選択図】      図１
2005157467.tif 000002
【特許請求の範囲】
【請求項１】
店舗の売上金額の確認通知処理を行う店舗端末と、金融専用ネットワークを介して店舗口座を管理する発行銀行のホストコンピュータとに接続される管理コンピュータと、
発行銀行が発行したキャッシュカードに保持されたカードデータを記録した口座データ記憶手段とを用いて、店舗の売上代金を回収する売上代金回収方法であって、
前記管理コンピュータが、
前記店舗端末に対して前記売上金額の特定を促す確認段階と、
前記店舗端末から、前記売上金額の確認データとともに、前記店舗口座の暗証番号に関するデータを受信する暗証番号データ受信段階と、
前記口座データ記憶手段に記録された前記店舗口座のカードデータ、前記売上金額及び前記暗証番号に関するデータを用いて生成された売上代金引落依頼データを、前記ホストコンピュータに送信する引落依頼段階と
を含むことを特徴とする売上代金回収方法。
【請求項２】
前記管理コンピュータが、
前記店舗端末からの確認データの受信に応じて、前記口座データ記憶手段に記録されたカードデータと振替先口座を特定するデータとに基づいて売上代金引落依頼データを作成する作成段階
を更に含むことを特徴とする請求項１に記載の売上代金回収方法。
【請求項３】
前記管理コンピュータが、
店舗端末に対して、前記口座データ記憶手段に記録されたカードデータと振替先口座を特定するデータとを提供する段階と、
前記店舗端末で生成された売上代金引落依頼データを受信し、前記金融専用ネットワークを介して前記発行銀行のホストコンピュータに転送する段階と
を更に含むことを特徴とする請求項１に記載の売上代金回収方法。
【請求項４】
前記口座データ記憶手段に記録されたカードデータは、前記キャッシュカードに保持されたカードデータをカードリーダで読み取り、記録したものであることを特徴とする請求項１〜３のいずれか１つに記載の売上代金回収方法。
【請求項５】
前記管理コンピュータが、
前記店舗の販売データを記録している販売データ記憶手段に接続されており、
前記販売データ記憶手段から取得した前記店舗の販売データに基づいて、前記店舗の売上金額を計算する売上算出段階と、
前記算出した売上金額に関するデータを前記店舗端末に送信する送信段階と
を更に含むことを特徴とする請求項１〜４のいずれか１つに記載の売上代金回収方法。
【請求項６】
前記管理コンピュータが、
前記店舗端末を介して売上金額の入力を促す金額入力段階と、
前記売上金額に関するデータを前記店舗端末から受信する売上金額データ受信段階と
を更に含むことを特徴とする請求項１〜４のいずれか１つに記載の売上代金回収方法。
【請求項７】
店舗の売上金額の確認通知処理を行う店舗端末と、金融専用ネットワークを介して店舗口座を管理する発行銀行のホストコンピュータとに接続される管理コンピュータと、
発行銀行が発行したキャッシュカードに保持されたカードデータを記録した口座データ記憶手段とを用いて、店舗の売上代金を回収する売上代金回収プログラムであって、
前記管理コンピュータを、
前記店舗端末に対して前記売上金額の特定を促す確認手段、
前記店舗端末から、前記売上金額の確認データとともに、前記店舗口座の暗証番号に関するデータを受信する暗証番号データ受信手段、及び
前記口座データ記憶手段に記録された前記店舗口座のカードデータ、前記売上金額及び前記暗証番号に関するデータを用いて生成された売上代金引落依頼データを、前記ホストコンピュータに送信する引落依頼手段
として機能させることを特徴とする売上代金回収プログラム。
【請求項８】
前記管理コンピュータを、
前記店舗端末からの確認データの受信に応じて、前記口座データ記憶手段に記録されたカードデータと振替先口座を特定するデータとに基づいて売上代金引落依頼データを作成する作成手段として機能させることを特徴とする請求項７に記載の売上代金回収プログラム。
【請求項９】
前記管理コンピュータを、
店舗端末に対して、前記口座データ記憶手段に記録されたカードデータと振替先口座を特定するデータとを提供する手段、及び
前記店舗端末で生成された売上代金引落依頼データを受信し、前記金融専用ネットワークを介して前記発行銀行のホストコンピュータに転送する手段
として更に機能させることを特徴とする請求項７に記載の売上代金回収プログラム。
【請求項１０】
前記口座データ記憶手段に記録されたカードデータは、前記キャッシュカードに保持されたカードデータをカードリーダで読み取り、記録したものであることを特徴とする請求項７〜９のいずれか１つに記載の売上代金回収プログラム。
【請求項１１】
前記管理コンピュータを、
前記店舗の販売データを記録している販売データ記憶手段に接続されており、
前記販売データ記憶手段から取得した前記店舗の販売データに基づいて、前記店舗の売上金額を計算する売上算出手段、及び
前記算出した売上金額に関するデータを前記店舗端末に送信する送信手段
として更に機能させることを特徴とする請求項７〜１０のいずれか１つに記載の売上代金回収プログラム。
【請求項１２】
前記管理コンピュータを、
前記店舗端末を介して売上金額の入力を促す金額入力手段、及び
前記売上金額に関するデータを前記店舗端末から受信する売上金額データ受信手段
として更に機能させることを特徴とする請求項７〜１０のいずれか１つに記載の売上代金回収プログラム。
【発明の詳細な説明】
【技術分野】
【０００１】
本発明は、販売拠点の統括部署が各拠点の売上代金を回収する場合に用いる売上代金回収方法及び売上代金回収プログラムに関する。
【背景技術】
【０００２】
今日、複数の販売拠点（店舗）を有しながら、それらを本部で統括する商品販売会社が存在している。例えば、フランチャイザー（本部）とフランチャイジー（加盟者）とが、フランチャイズ契約で結ばれるフランチャイズ方式を採用している会社などである。この商品販売会社においては、一般に、複数の店舗の仕入や売上を管理する統括部署（本部）が設置されている。この本部では、各店舗の売上状況を迅速に把握することにより、販売展開や売上管理を実施している。そこで、各店舗の売上状況をリアルタイムで本部が取得するための技術が開示されている（例えば、特許文献１参照。）。特許文献１では、店舗サーバを省略し、本部サーバと各店舗の複数のＰＯＳ（Point Of Sales）端末を通信回線で結ぶような構成としている。これにより、タイムラグをなくして、本部がリアルタイムで各店舗の売上を把握することができる。
【特許文献１】特開２０００−１２３２５５号公報（第３頁）
【発明の開示】
【発明が解決しようとする課題】
【０００３】
このように、ＰＯＳ端末を用いて販売状況を管理している場合においても、各店舗での売上代金は別途、送る必要がある。例えば、従来、各店舗の売上代金は、店舗の管理者（店長やオーナー）が本部の銀行口座に振込を行うことにより行われることがあった。このため、店舗の管理者（店長やオーナー）が売上代金を本部の銀行口座への振込処理を行う必要があり、その分の手間や手数料が必要であった。
【０００４】
本発明は、上述した問題に鑑みてなされ、その目的は、売上代金の回収を効率的に行える売上代金回収方法及び売上代金回収プログラムを提供することにある。
【課題を解決するための手段】
【０００５】
上記問題点を解決するために、請求項１に記載の発明は、店舗の売上金額の確認通知処理を行う店舗端末と、金融専用ネットワークを介して店舗口座を管理する発行銀行のホストコンピュータとに接続される管理コンピュータと、発行銀行が発行したキャッシュカードに保持されたカードデータを記録した口座データ記憶手段とを用いて、店舗の売上代金を回収する売上代金回収方法であって、前記管理コンピュータが、前記店舗端末に対して前記売上金額の特定を促す確認段階と、前記店舗端末から、前記売上金額の確認データとともに、前記店舗口座の暗証番号に関するデータを受信する暗証番号データ受信段階と、前記口座データ記憶手段に記録された前記店舗口座のカードデータ、前記売上金額及び前記暗証番号に関するデータを用いて生成された売上代金引落依頼データを、前記ホストコンピュータに送信する引落依頼段階とを含むことを要旨とする。
【０００６】
請求項２に記載の発明は、請求項１に記載の売上代金回収方法において、前記管理コンピュータが、前記店舗端末からの確認データの受信に応じて、前記口座データ記憶手段に記録されたカードデータと振替先口座を特定するデータとに基づいて売上代金引落依頼データを作成する作成段階を更に含むことを要旨とする。
【０００７】
請求項３に記載の発明は、請求項１に記載の売上代金回収方法において、前記管理コンピュータが、店舗端末に対して、前記口座データ記憶手段に記録されたカードデータと振
替先口座を特定するデータとを提供する段階と、前記店舗端末で生成された売上代金引落依頼データを受信し、前記金融専用ネットワークを介して前記発行銀行のホストコンピュータに転送する段階とを更に含むことを要旨とする。
【０００８】
請求項４に記載の発明は、請求項１〜３のいずれか１つに記載の売上代金回収方法において、前記口座データ記憶手段に記録されたカードデータは、前記キャッシュカードに保持されたカードデータをカードリーダで読み取り、記録したものであることを要旨とする。
【０００９】
請求項５に記載の発明は、請求項１〜４のいずれか１つに記載の売上代金回収方法において、前記管理コンピュータが、前記店舗の販売データを記録している販売データ記憶手段に接続されており、前記販売データ記憶手段から取得した前記店舗の販売データに基づいて、前記店舗の売上金額を計算する売上算出段階と、前記算出した売上金額に関するデータを前記店舗端末に送信する送信段階とを更に含むことを要旨とする。
【００１０】
請求項６に記載の発明は、請求項１〜４のいずれか１つに記載の売上代金回収方法において、前記管理コンピュータが、前記店舗端末を介して売上金額の入力を促す金額入力段階と、前記売上金額に関するデータを前記店舗端末から受信する売上金額データ受信段階とを更に含むことを要旨とする。
【００１１】
請求項７に記載の発明は、店舗の売上金額の確認通知処理を行う店舗端末と、金融専用ネットワークを介して店舗口座を管理する発行銀行のホストコンピュータとに接続される管理コンピュータと、発行銀行が発行したキャッシュカードに保持されたカードデータを記録した口座データ記憶手段とを用いて、店舗の売上代金を回収する売上代金回収プログラムであって、前記管理コンピュータを、前記店舗端末に対して前記売上金額の特定を促す確認手段、前記店舗端末から、前記売上金額の確認データとともに、前記店舗口座の暗証番号に関するデータを受信する暗証番号データ受信手段、及び前記口座データ記憶手段に記録された前記店舗口座のカードデータ、前記売上金額及び前記暗証番号に関するデータを用いて生成された売上代金引落依頼データを、前記ホストコンピュータに送信する引落依頼手段として機能させることを要旨とする。
【００１２】
請求項８に記載の発明は、請求項７に記載の売上代金回収プログラムにおいて、前記管理コンピュータを、前記店舗端末からの確認データの受信に応じて、前記口座データ記憶手段に記録されたカードデータと振替先口座を特定するデータとに基づいて売上代金引落依頼データを作成する作成手段として機能させることを要旨とする。
【００１３】
請求項９に記載の発明は、請求項７に記載の売上代金回収プログラムにおいて、前記管理コンピュータを、店舗端末に対して、前記口座データ記憶手段に記録されたカードデータと振替先口座を特定するデータとを提供する手段、及び前記店舗端末で生成された売上代金引落依頼データを受信し、前記金融専用ネットワークを介して前記発行銀行のホストコンピュータに転送する手段として更に機能させることを要旨とする。
【００１４】
請求項１０に記載の発明は、請求項７〜９のいずれか１つに記載の売上代金回収プログラムにおいて、前記口座データ記憶手段に記録されたカードデータは、前記キャッシュカードに保持されたカードデータをカードリーダで読み取り、記録したものであることを要旨とする。
【００１５】
請求項１１に記載の発明は、請求項７〜１０のいずれか１つに記載の売上代金回収プログラムにおいて、前記管理コンピュータを、前記店舗の販売データを記録している販売データ記憶手段に接続されており、前記販売データ記憶手段から取得した前記店舗の販売デ
ータに基づいて、前記店舗の売上金額を計算する売上算出手段、及び前記算出した売上金額に関するデータを前記店舗端末に送信する送信手段として更に機能させることを要旨とする。
【００１６】
請求項１２に記載の発明は、請求項７〜１０のいずれか１つに記載の売上代金回収プログラムにおいて、前記管理コンピュータを、前記店舗端末を介して売上金額の入力を促す金額入力手段、及び前記売上金額に関するデータを前記店舗端末から受信する売上金額データ受信手段として更に機能させることを要旨とする。
【００１７】
（作用）
請求項１又は７に記載の発明によれば、管理コンピュータは、売上金額の確認データとともに、店舗口座の暗証番号データを受信する。管理コンピュータは、受信した暗証番号データと、口座データ記憶手段に記録されているカードデータとを、金融専用ネットワークを介して発行銀行のホストコンピュータに送信する。すなわち、既存のデビットカードサービスを用いて、店舗口座から売上代金を引き落として本部の口座に振り替える引落処理により、売上代金の回収を行う。また、口座データ記憶手段に記録されている店舗口座のカードデータを用いるので、売上代金の回収を行うため売上代金の引落処理を依頼するたびに、キャッシュカードを使用しなくてもよい。従って、本部は、各店舗の売上代金を効率的に回収することができる。
【００１８】
請求項２又は８に記載の発明によれば、管理コンピュータは、店舗端末からの送信指示依頼の受信に応じて売上代金引落データを作成する。このため、店舗端末は、カードデータを含まない送信指示依頼を送信しても、引落依頼を行うことができる。従って、売上代金引落依頼を行うときに、カードデータを店舗端末から受信しなくても、売上代金の引落を行うことができるので、カードデータの漏洩をより防止することができる。
【００１９】
請求項３又は９に記載の発明によれば、管理コンピュータは、店舗端末に対して、カードデータ記憶手段に記録されたカードデータと振替先口座を特定するデータとを提供する。このため、利用者端末は、売上代金引落依頼データを生成し、この生成した引落依頼データを管理コンピュータに送信する。売上代金引落依頼データを受信した管理コンピュータは、金融専用ネットワークを介して発行銀行のホストコンピュータに引落処理を依頼する。従って、管理コンピュータは、店舗端末から受信した引落依頼データを中継するだけで売上代金の引落処理を行うことができるので、各店舗の売上代金を効率的に回収することができる。
【００２０】
請求項４又は１０に記載の発明によれば、口座データ記憶手段に記録されたカードデータは、キャッシュカードをカードリーダで読み取ったデータが記録されている。このため、既存のデビットカードサービスに用いられるカードデータ及び暗証番号データを用いることができるので、既存のサービスをそのまま利用して売上代金の引落依頼を行うことができる。
【００２１】
請求項５又は１１に記載の発明によれば、販売データ記憶手段には、店舗の販売データを記録している。このため、管理コンピュータは、販売データ記憶手段から販売データを取得することにより、店舗の売上金額を計算して、店舗端末に、売上金額を提示することができる。従って、店舗端末では、売上を集計する必要がなく、売上金額の確認を容易に行うことができる。
【００２２】
請求項６又は１２に記載の発明によれば、管理コンピュータは、口座の暗証番号データだけでなく、売上金額データをも店舗端末から受信する。このため、管理コンピュータは、店舗における売上の管理は行わなくても、効率的に店舗の売上代金を回収することがで
きる。
【発明の効果】
【００２３】
本発明によれば、店舗の売上代金を効率的に回収することができる。
【発明を実施するための最良の形態】
【００２４】
以下、本発明を具体化した一実施形態を図１〜図８に基づいて説明する。本実施形態では、フランチャイズ方式（ＦＣ）の本部が各店舗から売上代金を回収する場合について説明する。売上代金の回収はデビットカードサービスを利用して行われる。
【００２５】
本実施形態では、各店舗１０には店舗端末１１が設置されている。本実施形態では、この店舗端末１１として、例えばパーソナルコンピュータを用いる。店舗端末１１は、ディスプレイ１２、キーボード及びマウスを備えている。ディスプレイ１２は、店舗の売上情報を表示するために用いられる。また、キーボードやマウスは、店舗１０における商品の売上を管理する管理者（例えば店長やオーナーなど）が各種指示を入力する場合に用いられる。更に、店舗端末１１は通信機能を有し、後述するように、ネットワークＮＤを介して売上決済サーバ２２と接続可能になっている。
【００２６】
更に、本実施形態では、店舗１０にＰＯＳ端末１６が設置されている。このＰＯＳ端末１６は、バーコードリーダ１７を備えている。ＰＯＳ端末１６は、図示しない記憶部を備えている。この記憶部には、バーコード識別子に対応付けられた商品名及び価格に関するデータが記録されている。ここで、商品名とは、具体的には「○○会社の○○ガム」や「△会社の△ラーメン」などである。従って、ＰＯＳ端末１６は、バーコードリーダ１７から読み取ったバーコード識別子に基づいて、そのバーコードが付与された商品の商品名及び価格に関するデータを取得する。
【００２７】
また、本実施形態では、フランチャイズ本部には本部システム２０が設置されている。この本部システム２０は、管理コンピュータ２１を備えている。管理コンピュータ２１は、図示しないＣＰＵ、ＲＡＭ及びＲＯＭ等を有し、後述する処理（確認段階、暗証番号データ受信段階、引落依頼段階、作成段階、売上算出段階、送信段階、金額入力段階及び売上金額データ受信段階を含む処理）を行う。このため、売上代金回収プログラムを実行することにより、管理コンピュータ２１は、確認手段、暗証番号データ受信手段、引落依頼手段、作成手段、売上算出手段、送信手段、金額入力手段及び売上金額データ受信手段等として機能する。
【００２８】
また、管理コンピュータ２１は、図示しないカードリーダを備えている。このカードリーダは、後述するようにキャッシュカードに保持されたデータを読み込むために用いる。
管理コンピュータ２１は、売上決済サーバ２２及びＰＯＳサーバ２３に接続されている。
【００２９】
売上決済サーバ２２は、ネットワークＮＤを介して店舗端末１１に接続されており、店舗端末１１とデータの送受信を行う。また、売上決済サーバ２２は、口座データ記憶部２２ａを有しており、この口座データ記憶部２２ａに対してデータの書き込みやデータの読み出しを行う。
【００３０】
口座データ記憶部２２ａは、図２に示すように、店舗１０の売上決済を実行するときに用いられる口座データ２２０を記録している。この口座データ２２０は、店舗が新たにこのシステムを利用する際にキャッシュカードのデータを読み込んだときに記録される。この口座データ２２０は、店舗識別子、ログインパスワード、口座識別子に関するデータを含んで構成される。
【００３１】
店舗識別子データ領域には、各店舗を特定するための識別子に関するデータが記録される。
ログインパスワードデータ領域には、各店舗１０のログインパスワードに関するデータが記録される。このログインパスワードは、各店舗１０が店舗端末１１を用いて売上決済サーバ２２にアクセスする場合の認証処理に用いられる。
【００３２】
口座識別子データ領域には、各店舗１０が売上代金を預け入れる後述する口座を特定するための識別子に関するデータが記録される。本実施形態では、この口座として、店舗１０の管理者に提供されたキャッシュカードの発行銀行３０の口座を用いる。そして、本実施形態の口座識別子データは、カードリーダを用いてキャッシュカードから読み取ったデータ（カードデータ）であり、具体的には、銀行コード、支店コード、預金種目コード及び口座番号に関するデータを含んで構成される。
【００３３】
一方、ＰＯＳサーバ２３は、図１に示すようにネットワークＮＰを介してＰＯＳ端末１６に接続されており、ＰＯＳ端末１６とデータの送受信を行う。また、ＰＯＳサーバ２３は、販売データ記憶部２３ａを有しており、この販売データ記憶部２３ａに対してデータの書き込みやデータの読み出しを行う。
【００３４】
販売データ記憶部２３ａは、図３に示すように、各店舗１０における販売に関する販売データ２３０を記録している。販売データ２３０は、バーコード識別子に基づくデータをＰＯＳ端末１６が取得したときに記録される。販売データ２３０は、販売日時、店舗識別子、販売商品名及び販売金額に関するデータを含んで構成される。
【００３５】
販売日時データ領域には、商品を販売した日時に関するデータが記録される。このデータは、具体的には、商品を販売する際にその商品に付されたバーコードのデータを各店舗１０のＰＯＳ端末１６がバーコードリーダ１７を介して読み取った日時である。
【００３６】
店舗識別子データ領域には、商品を販売した店舗を識別するための識別子に関するデータが記録される。
販売商品名データ領域には、販売した商品の商品名に関するデータが記録される。
【００３７】
販売金額データ領域には、その商品の販売金額に関するデータが記録される。
一方、図１に示す管理コンピュータ２１は、デビットカードサービスを利用するための金融専用ネットワークＮＣを介して、発行銀行３０のホストコンピュータ３１に接続されている。本実施形態では、金融専用ネットワークＮＣとしてＣＡＦＩＳ（登録商標：Credit And Finance Information System ）を用いる。ここで、発行銀行３０とは、店舗１０における売上代金を入れるための口座が開設され、店舗１０の管理者に対してキャッシュカードを発行した銀行である。また、ホストコンピュータ３１は、金融専用ネットワークＮＣを介して受信した依頼に応じて売上代金の引落処理を行うホストコンピュータである。
【００３８】
更に、発行銀行３０のホストコンピュータ３１は、決済銀行４０のホストコンピュータ４１に接続されている。決済銀行４０は、発行銀行３０のホストコンピュータ３１及び加盟店銀行６０のホストコンピュータ６１に接続されており、これら銀行間の決済を行う。なお、ここで、加盟店銀行６０は、売上代金の回収先である本部の口座が開設されている銀行である。
【００３９】
更に、本部システム２０の管理コンピュータ２１は、金融専用ネットワークＮＣを介してクリアリングセンタ５０のホストコンピュータ５１に接続されている。クリアリングセ
ンタ５０のホストコンピュータ５１は、銀行間で個別に資金のやり取りする手間を省くために、店舗管理者の口座がある発行銀行と、本部の口座がある加盟店銀行との取引データを集計及び相殺した決済尻データを生成する。このため、クリアリングセンタ５０のホストコンピュータ５１は、決済銀行４０のホストコンピュータ４１と情報の送受信を行う。
【００４０】
また、クリアリングセンタ５０のホストコンピュータ５１は、本部システム２０の管理コンピュータ２１に接続される。そして、ＦＣ本部の要求に基づき、売上代金引落明細データを管理コンピュータ２１に送信する。なお、売上代金引落明細データには、デビットカードサービスを用いて、加盟店銀行６０の本部の口座に対して取引を行った振替元や振替金額に関するデータが含まれる。
【００４１】
次に、上記のように構成されたシステムにおいて、本部が店舗１０の売上代金を回収する場合の処理について、図４〜図８に基づいて説明する。
（カードデータの登録処理）
まず、図４を参照しながらカードデータの登録処理を説明する。本システムを利用する店舗１０のカードデータの登録処理を行う。このとき、店舗１０の管理者は、店舗１０の売上代金を入れる発行銀行３０に口座を開設しておく。そして、その口座に関して、発行銀行３０により発行されたキャッシュカードＣを用いてカードデータの登録処理を行う。
【００４２】
まず、本部システム２０の管理コンピュータ２１は、店舗１０の売上代金を納入する発行銀行３０の口座に関するカードデータを取得する（ステップＳ１−１）。具体的には、店舗１０の管理者は、本部システム２０のカードリーダにキャッシュカードＣを通す。これにより管理コンピュータ２１はキャッシュカードＣに保持されたカードデータを取得する。
【００４３】
そして、管理コンピュータ２１は、予め設定された店舗識別子とログインパスワードを設定する（ステップＳ１−２）。このログインパスワードは、店舗１０の管理者が、本部システム２０の売上決済サーバ２２にアクセスする場合に用いるパスワードである。
【００４４】
次に、管理コンピュータ２１は、口座データ２２０を売上決済サーバ２２に送信する（ステップＳ１−３）。この口座データ２２０には、設定された店舗識別子データ及びログインパスワードデータと、キャッシュカードから取得したデータとを含む。
【００４５】
売上決済サーバ２２は、受信した口座データ２２０を口座データ記憶部２２ａに記録する（ステップＳ１−４）。以上により、カードデータの登録処理を完了する。
（販売処理）
次に、図５を参照しながら販売処理について説明する。この販売処理は、店舗１０における顧客が、購入する商品の代金を支払うために商品に付与されたバーコードＢをバーコードリーダ１７によって読み取ったことにより行われる処理である。
【００４６】
まず、ＰＯＳ端末１６は、商品のバーコードＢに表示されたバーコード識別子を取得する（ステップＳ２−１）。具体的には、顧客が購入する商品に付与されたバーコードＢを、ＰＯＳ端末１６のバーコードリーダ１７にかざした場合、ＰＯＳ端末１６はバーコード識別子を取得する。
【００４７】
ＰＯＳ端末１６は、取得したバーコード識別子に基づいて、内蔵している記憶部から、その商品名及びその商品の価格に関するデータを取得する（ステップＳ２−２）。
そして、ＰＯＳ端末１６は、販売データを本部システム２０のＰＯＳサーバ２３に送信する（ステップＳ２−３）。この販売データは、バーコードＢに基づいて取得した商品の商品名と価格、及びバーコードＢを読み取った日時に関するデータを含む。更に、販売デ
ータは、販売した店舗の店舗識別子に関するデータを含む。
【００４８】
販売データ２３０を受信したＰＯＳサーバ２３は、受信したデータを販売データ記憶部２３ａに記憶する（ステップＳ２−２）。具体的には、ＰＯＳサーバ２３は、販売日時、店舗識別子、販売商品名及び販売金額に関するデータを含む販売データ２３０を販売データ記憶部２３ａに記録する。なお、ここで、ＰＯＳサーバ２３は、バーコードＢを読み取った日時を販売日時として、商品の価格を販売価格として記録する。
【００４９】
このように上述した一連の処理が、各店舗１０において商品が販売されるために、商品のバーコードＢをバーコードリーダ１７で読み取られるたびに行われる。そして、販売された商品の販売データ２３０が、店舗識別子に関連付けて販売データ記憶部２３ａに蓄積される。
【００５０】
（売上代金回収処理）
次に、図６〜図８を参照しながら売上回収処理について説明する。
本実施形態では、売上回収処理を毎日行う場合を想定する。そのため、１日分の売上代金を発行銀行３０に預け入れた後に、この処理が行われる。
【００５１】
そして、店舗１０の管理者は、その日の売上回収処理を行うために、店舗端末１１からネットワークＮＤを介して本部システム２０にログインを行う（ステップＳ３−１）。具体的には、店舗端末１１が本部システム２０にアクセスすると、本部システム２０は、店舗端末１１に対してログイン用画面データを送信する。本部システム２０は、このログイン用画面データを用いて店舗識別子及びログインパスワードを要求する。
【００５２】
ログイン画面データを受信した店舗端末１１は、ディスプレイ１２に図７に示すログイン画面７００を表示する。
このログイン画面７００には、店舗識別子入力欄７０１と、ログインパスワード入力欄７０２とが含まれる。店舗識別子入力欄７０１は店舗識別子を入力するための欄である。ログインパスワード入力欄７０２はログインパスワードを入力するための欄である。
【００５３】
更に、ログイン画面７００には、ログインボタン７０３とキャンセルボタン７０４とが含まれる。ログインボタン７０３は、ログインを実行するためのボタンである。キャンセルボタン７０４は、処理を中止するためのボタンである。
【００５４】
ここで、店舗１０の管理者は、店舗識別子入力欄７０１に自分の店舗識別子を入力し、更にログインパスワード入力欄７０２にログインパスワードを入力する。そして、ログインボタン７０３を選択し、送信を指示する。
【００５５】
これにより、店舗端末１１は、店舗識別子及びログインパスワードに関するデータを本部システム２０に送信する。
次に、本部システム２０の管理コンピュータ２１は、ユーザ認証を行う（ステップＳ３−２）。詳述すると、管理コンピュータ２１は、受信した店舗識別子と同じ店舗識別子を含む口座データ２２０を、口座データ記憶部２２ａから抽出する。そして、管理コンピュータ２１は、抽出した口座データ２２０のログインパスワードと、受信したログインパスワードとを照合する。両者が一致した場合には、管理コンピュータ２１は、ユーザ認証を完了する。なお、両者が一致しない場合には、管理コンピュータ２１は、その旨を店舗端末１１に通知し、処理を中止する。
【００５６】
次に、本部システム２０の管理コンピュータ２１は、売上金額の計算を行う（ステップＳ３−３）。ここで、売上金額は、所定期間（本実施形態ではその一日分）にその店舗１
０において販売された商品に関する売上代金の金額の合計である。具体的には、管理コンピュータ２１は、まず、販売データ記憶部２３ａに記録されている販売データ２３０の販売日時のデータに基づいて、所定期間に販売された販売データ２３０を抽出する。更に、管理コンピュータ２１は、抽出された販売データ２３０から更に、売上回収処理を行う店舗１０の店舗識別子を含む販売データ２３０のみを抽出する。そして、管理コンピュータ２１は、このようにして抽出された販売データ２３０に記録されている販売金額のデータに基づいて、売上金額を算出する。
【００５７】
次に、本部システム２０の管理コンピュータ２１は、売上金額の通知を行う（ステップＳ３−４）。具体的には、売上金額を表示するための画面データを店舗端末１１に送信する。
【００５８】
本部システム２０の管理コンピュータ２１からの通知を受信した店舗端末１１は売上金額を表示する（ステップＳ３−５）。具体的には、店舗端末１１は、図８に示す確認画面８００をディスプレイ１２に表示させる。
【００５９】
確認画面８００には、店舗１０の売上金額表示８０１が表示されている。この売上金額表示８０１は、上記ステップＳ３−３において管理コンピュータ２１が計算した金額である。
【００６０】
また、確認画面８００には、売上金額の確認完了により暗証番号を入力するように促すメッセージが含まれている。更に、確認画面８００には、暗証番号入力欄８０２と、送信ボタン８０３とが含まれる。暗証番号入力欄８０２は、店舗１０の売上代金が預け入れされている発行銀行３０の口座の暗証番号を入力するための欄である。送信ボタン８０３は、暗証番号を送信するための送信ボタンである。
【００６１】
また、確認画面８００には、訂正ボタン８０４と、キャンセルボタン８０５とが含まれる。訂正ボタン８０４は、売上金額表示８０１を修正する場合に選択されるボタンである。この訂正ボタン８０４が選択されると、訂正用の画面がディスプレイに表示されて、売上金額を訂正することができる。更に、キャンセルボタン８０５は、処理を中止するためのボタンである。
【００６２】
ここで、店舗１０の管理者は、売上金額表示８０１を確認する。そして、売上金額が正しい場合、キーボード及びマウスを用いて暗証番号を暗証番号入力欄８０２に入力し、送信ボタン８０３を選択する。
【００６３】
この場合、店舗端末１１は、本部システム２０に対して確認通知を送信する（ステップＳ３−６）。本実施形態では、この確認通知は、暗証番号入力欄８０２に入力された暗証番号、店舗識別子及び売上金額に関するデータを含む。なお、本実施形態では、確認通知において暗証番号データとともに送信された、店舗識別子及び売上金額に関するデータが確認データに相当する。
【００６４】
確認通知を受信した本部システム２０の管理コンピュータ２１は、引落依頼を金融専用ネットワークＮＣに送信する（ステップＳ３−７）。具体的には、管理コンピュータ２１は、確認通知に含まれる店舗識別子に基づいて口座データ記憶部２２ａからその店舗の口座識別子データ（カードデータ）を取得する。そして、管理コンピュータ２１は、取得した口座識別子データと暗証番号データとを用いて、売上代金引落依頼データとしての引落依頼データを生成する。更に、この引落依頼データは、売上金額に関するデータと、売上金額の振替先口座を特定するデータとを含む。本実施形態では、この振替先口座を特定するデータは、本部口座を特定するデータである。この引落データは、金融専用ネットワー
クＮＣで使用する所定フォーマットで構成される。そして、生成した引落依頼データを、金融専用ネットワークＮＣを介して発行銀行３０のホストコンピュータ３１に送信する。
【００６５】
次に、発行銀行３０のホストコンピュータ３１において引落処理を実行する。そして、ホストコンピュータ３１は、金融専用ネットワークＮＣを介して、その引落結果データを本部システム２０に送信する。本部システム２０の管理コンピュータ２１は、金融専用ネットワークＮＣを介してホストコンピュータ３１から受信した引落結果に関するデータを図示しない記憶部に記録する（ステップＳ３−８）。なお、口座残高が不足している場合には、ホストコンピュータ３１はその旨を本部システム２０に通知し、処理を終了する。そして、引落処理が完了した場合、引落結果データは、金融専用ネットワークＮＣを介して、クリアリングセンタ５０のホストコンピュータ５１に送信される。
【００６６】
次に、本部システム２０の管理コンピュータ２１は、引落結果を店舗端末１１に対して通知する（ステップＳ３−９）。なお、店舗１０の管理者は、この引落結果の通知により、口座から売上代金が引き落とされたことを確認できる。
【００６７】
その後、クリアリングセンタ５０のホストコンピュータ５１は、決済銀行４０のホストコンピュータ４１に対して決済尻データを送信する。更に、クリアリングセンタ５０のホストコンピュータ５１は、本部システム２０の管理コンピュータ２１に売上代金引落明細データを送信する。この売上代金引落明細データは、各発行銀行３０のホストコンピュータ３１から引き落とされた各店舗１０の売上代金に関する詳細データである。そして、管理コンピュータ２１は、クリアリングセンタ５０から受信した売上代金引落明細データを記録する（ステップＳ３−１０）。
【００６８】
クリアリングセンタ５０のホストコンピュータ５１から決済尻データを受信した決済銀行４０のホストコンピュータ４１は、決済尻データに基づいて全銀システム経由で付替または請求電文を送信する。これにより、発行銀行３０と加盟店銀行６０の日銀当座預金で振替が行われる。この銀行間決済が完了した後に、加盟店銀行６０に開設された本部の口座に売上代金が入金される。なお、本部の口座に売上代金が入金されるときに銀行手数料が差し引かれる。
【００６９】
以上により、ＦＣ本部は、各店舗１０の売上代金を発行銀行３０を介して本部の口座に回収することができる。
本実施形態によれば、以下のような効果を得ることができる。
【００７０】
・本実施形態においては、店舗１０の管理者が売上金額を確認して暗証番号を入力すると、店舗端末１１は入力された暗証番号データを本部システム２０に送信する。そして、本部システム２０の管理コンピュータ２１は、受信した暗証番号データ、口座データ記憶部２２ａに記録された口座データ及び売上金額に関するデータを含む引落依頼を金融専用ネットワークＮＣを介して発行銀行３０のホストコンピュータ３１に送信する（ステップＳ３−７）。ホストコンピュータ３１は、受信した引落依頼に基づいて引落処理を行う。すなわち、いわゆる既存のデビットカードサービスにおける支払いを利用して、売上代金が、発行銀行３０の口座から引き落とされ、本部の加盟店銀行６０の口座に振り替えられる。このため、売上代金を入れている発行銀行３０の口座から即時的に売上代金を引き落とすことができ、本部は売上代金を効率的に回収することができる。
【００７１】
また、デビットカードによる支払い処理を行える時間が、銀行振込の処理を行える時間に比べて長いため、売上代金の引落処理を依頼できる時間の自由度が高く、利便性を向上することができる。
【００７２】
・本実施形態においては、本部システム２０には、売上代金を預け入れる発行銀行３０の口座識別子データを店舗識別子に関連付けて記憶する口座データ記憶部２２ａを有した売上決済サーバ２２を設けている。このため、本部システム２０の管理コンピュータ２１は、店舗端末１１から口座の暗証番号のデータを受信すると、口座データ記憶部２２ａから口座識別子データを取得し、この口座識別子データと暗証番号データとを用いて、発行銀行３０に対して売上代金の引落処理を依頼することができる。管理コンピュータ２１は、暗証番号データを受信するだけで、引落依頼を行うことができる。従って、カードデータの漏洩をより防止しながら、ＦＣ本部は効率的に売上代金を回収することができる。また、予め口座識別子データを取得して売上決済サーバ２２に記憶するので、キャッシュカードＣに記録された口座識別子データを読み取るためのカードリーダや、デビットカードサービスを利用するための端末を店舗１０に設置する必要がない。これによっても、効率的に売上代金の回収することができる。
【００７３】
・本実施形態においては、店舗１０のＰＯＳ端末１６から販売された商品に関する販売データがＰＯＳサーバ２３に供給されて、販売データ２３０が販売データ記憶部２３ａに記録される。このため、管理コンピュータ２１は、各店舗１０における売上状況を迅速に把握することができる。
【００７４】
更に、管理コンピュータ２１は、販売データ記憶部２３ａに記録された販売データ２３０に基づいて、各店舗１０の売上金額を算出する（ステップ３−３）。そして、管理コンピュータ２１は、算出した売上金額を店舗端末１１に送信する（ステップＳ３−４）。店舗端末１１では、確認画面８００を表示させることにより、売上金額表示８０１を表示する（ステップＳ３−５）。このため、店舗１０において売上を集計する必要がなく、売上金額の確認を容易に行うことができる。
【００７５】
・本実施形態においては、管理コンピュータ２１は、店舗端末１１において売上金額の確認完了に伴って口座の暗証番号データを入力して送信させる。このため、管理コンピュータ２１は、暗証番号データを受信した場合には、その売上金額の確認完了とともに、売上代金の引落処理をすぐに発行銀行３０のホストコンピュータ３１に依頼することができる。従って、店舗端末１１における確認完了後、より迅速に引落処理を行うことができる。
【００７６】
・本実施形態においては、引落結果を店舗端末１１に通知する（ステップＳ３−９）。このため、店舗端末１１は、発行銀行３０の口座から引落が行われたことをより確実に知ることができる。
【００７７】
・本実施形態においては、クリアリングセンタ５０から受信した売上代金引落明細データを記録する（ステップＳ３−１０）。このため、本部システム２０は、売上代金引落明細データを取得するため、各店舗１０の売上代金の回収状況を容易に把握することができる。
【００７８】
・本実施形態においては、販売データ記憶部２３ａは、販売金額だけでなく、販売日時及び販売店舗に関するデータを記録する。このため、管理コンピュータ２１は、所定店舗における所定期間の売上を容易に算出することができる。
【００７９】
なお、本実施形態は以下のように変更してもよい。
○上記実施形態では、本部は各店舗１０の１日分の売上代金を回収する。売上代金を回収する周期はこれに限られるものではなく、複数日分の売上代金をまとめて回収してもよいし、所定時間における売上代金を回収してもよい。
【００８０】
○上記実施形態では、確認通知を受信した本部システム２０の管理コンピュータ２１が、引落依頼を生成し、金融専用ネットワークＮＣに送信する（ステップＳ３−７）。具体的には、管理コンピュータ２１は、確認通知に含まれる店舗識別子に基づいて口座データ記憶部２２ａからその店舗の口座識別子データを取得する。そして、管理コンピュータ２１は、取得した口座識別子データ、暗証番号データ、売上金額に関するデータを含む引落依頼データを生成する。これに代えて、店舗端末１１が引落依頼データを生成してもよい。この場合、管理コンピュータ２１が、口座データ記憶部２２ａに記録された口座識別子データと、振替先口座を特定するデータとを店舗端末１１に提供する。そして、店舗１０の管理者が入力した暗証番号を組み込んだ引落依頼データを生成する。この引落データは、金融専用ネットワークＮＣで使用する所定フォーマットで構成される。更に、この引落依頼データは本部システム２０を介して金融専用ネットワークＮＣに送信される。本部システム２０は、店舗端末１１から受信した引落依頼データを中継するだけで売上代金の引落処理を行うことができる。
【００８１】
○上記実施形態では、店舗端末として、店舗１０に設置したパソコンなどを用いる。これに代えて、店舗端末として、例えば店舗１０の管理者のモバイル端末（例えば携帯電話端末）を用いてもよい。この場合には、店舗の売上代金を発行銀行３０に預けた後、その場で売上回収処理が可能であり、より迅速に売上回収を行うことができる。
【００８２】
○上記実施形態では、本部システム２０のＰＯＳサーバ２３において、各店舗１０の販売データ２３０を管理する。これに代えて、各店舗１０のＰＯＳ端末１６が、販売データを管理していてもよい。この場合、本部システム２０の管理コンピュータ２１は、売上金額の算出を行うために必要な販売データを、ＰＯＳ端末１６から取得してもよい。
【００８３】
○上記実施形態では、売上回収処理において、管理コンピュータ２１は、店舗１０の売上金額を計算し、その売上金額を店舗端末１１に送信する。これに代えて、管理コンピュータ２１から売上金額を提示することなく、店舗端末１１から売上金額データを取得してもよい。この場合には、販売データ記憶部２３ａを設けなくてもよい。
【００８４】
○上記実施形態では、口座データ記憶部２２ａに口座識別子データを記録する。これに代えて、管理コンピュータ２１は、口座識別子データと暗証番号データとを店舗端末１１から取得するようにしてもよい。この場合には、キャッシュカードＣのカードデータを管理する口座データ記憶部２２ａを店舗端末１１内に設ける。
【００８５】
○上記実施形態では、別体である店舗端末１１とＰＯＳ端末１６とを用いる。これに代えて、店舗端末１１とＰＯＳ端末１６との両方の機能を一体にした端末を用いてもよい。
○上記実施形態では、キャッシュカードＣの口座識別子データを口座データ記憶部２２ａに記録する場合には、管理コンピュータ２１に接続したカードリーダにより、キャッシュカードＣの口座識別子データを取得する。これに代えて、例えば、店舗端末１１を介してキャッシュカードＣの口座識別子データ（カードデータ）を管理コンピュータ２１が取得してもよい。具体的には、新たに開店する店舗１０にカードリーダを貸し出し、このカードリーダを店舗端末１１に接続する。そして、カードリーダを介してキャッシュカードＣから取得した口座識別子データを店舗端末１１がネットワークＮＤを介して本部システム２０の管理コンピュータ２１に送信してもよい。
【図面の簡単な説明】
【００８６】
【図１】本発明の実施形態のシステム概略図。
【図２】口座データ記憶部に記録されたデータの説明図。
【図３】販売データ記憶部に記録されたデータの説明図。
【図４】本実施形態における登録処理の手順の説明図。
【図５】本実施形態における販売処理の手順の説明図。
【図６】本実施形態における売上回収処理の手順の説明図。
【図７】本実施形態における売上報告のログイン画面の画面図。
【図８】本実施形態における売上報告の確認画面の画面図。
【符号の説明】
【００８７】
Ｃ…キャッシュカード、ＮＣ…金融専用ネットワーク、１０…店舗、１１…店舗端末、２１…管理コンピュータ、２２ａ…口座データ記憶手段としての口座データ記憶部、２３ａ…販売データ記憶手段としての販売データ記憶部、３０…発行銀行、３１…ホストコンピュータ。
【図１】
2005157467.tif 000003
【図２】
2005157467.tif 000004
【図３】
2005157467.tif 000005
【図４】
2005157467.tif 000006
【図５】
2005157467.tif 000007
【図６】
2005157467.tif 000008
【図７】
2005157467.tif 000009
【図８】
2005157467.tif 000010